(57)【要約】【課題】顧客が扉を開閉して出入りするように構成された店舗の防虫、防塵設備において、外部から扉を通じて害虫、粉塵が侵入するのを防止することを目的とする。【解決手段】店舗１内に防虫フィルター２を介して外気を導入する吸引ファン３を設け、前記扉６の開閉による顧客の舗１への出入りを検知する検知手段４を設け、前記検知手段４により前記吸引ファン３を駆動及び停止させるようにした。【選択図】      図１
2004361063.tif 000002
【特許請求の範囲】
【請求項１】
顧客が扉６を開閉して出入りするように構成された店舗の防虫設備であって、
店舗１内に防虫フィルター２を介して外気を導入する吸引ファン３を設け、
前記扉６の開閉による顧客の舗１への出入りを検知する検知手段４を設け、
前記検知手段４により前記吸引ファン３を駆動及び停止させるように構成した、
店舗の防虫設備。
【請求項２】
前記検知手段４が、前記扉６の開閉によりＯＮ／ＯＦＦするスイッチ４Ｂである、
請求項１の店舗の防虫設備。
【請求項３】
前記検知手段４が、前記扉６の近傍位置に設けられた顧客の出入りを検知するセンサー４Ａである、
請求項１の店舗の防虫設備。
【請求項４】
前記店舗１は、空調設備５を備え、店舗１内の圧力が外気よりも僅かに高く調節されている、
請求項１乃至請求項３の店舗の防虫設備。
【発明の詳細な説明】
【０００１】
【発明の属する分野】
本発明は、顧客が扉を開閉して出入りするように構成された店舗、例えば、コンビニエンスストア等における防虫、防塵設備に関する。
【０００２】
【従来の技術】
一般の小型店舗、特に、コンビニエンスストア等では、顧客の出入りは扉の開閉（自動、又は手動）により行なわれる。このような場合、特に夏場等では、店舗の明かりに集まってきた蚊、峨等の種々の羽虫等が開閉した扉から内部に侵入し、困った事態を招いていた。特に、包装商品以外に、最近では、おでん等の直接外気に触れる食品も取り扱われるに至り、益々衛生上の問題も増してきた。又、車道に面しておれば、粉塵の侵入がある。
【０００３】
一般に防虫対策としては、網戸等を敷設することが常套手段であるが、上述した店舗に網戸を付けても、扉の開閉時の害虫の侵入或いは粉塵の侵入を防止出来るものでもない。
そして、防虫については、こうした網戸ではなく、電気的に殺虫する電撃殺虫器を店舗の内外に敷設するという方法も採られているが、その集虫灯や電撃音が店舗に相応しくないと共に内部に一旦侵入した害虫が食品、顧客に対して害を及ぼすことを未然に回避できるというものではない。
【０００４】
【発明が解決しようとする課題】
そこで、本発明者は、コンビニエンスストア等の店舗に対する防虫、防塵設備について研究を行ない、顧客の出入り時に必ず扉が開閉されることになる際に、ここから害虫（羽虫）が流入するのを阻止するにはどのようにすればよいかを考えた。
【０００５】
上述したように顧客の出入りに店舗の扉が開閉されるのは避けることができないものであるから、網戸や電撃殺虫器の敷設が効果を発揮出来るものではなく、また、粉塵侵入を防ぐことが出来るものではない。従って、扉の開閉時に外部からの害虫、粉塵の侵入するのを阻止出来るようにすることが求められる。
【０００６】
また、コンビニエンスストア等では、夏場は空調設備によって内部が冷房されており、少なからず店舗内圧が外気よりも高くなっていて、扉の開閉に際して内部の冷気が外部に排出されるため、外部からの害虫、粉塵等の侵入を一時的に阻止できるように思われるが、その内部からの冷気排出後の慣性による店内の瞬間的な負圧発生で外気が流入することになり、その外気流入に乗って害虫が侵入してくることが分かってきた。
【０００７】
本発明は、上記現状に鑑み、顧客が扉を開閉して出入りするように構成された店舗の防虫、防塵設備において、外部から扉を通じて害虫、粉塵が侵入するのを防止することを目的とする。
【０００８】
【課題を解決するための手段】
本発明にかかる店舗の防虫設備は、上記目的を達成するために、顧客が扉６を開閉して出入りするように構成された店舗の防虫設備であって、店舗１内に防虫フィルター２を介して外気を導入する吸引ファン３を設け、前記扉６の開閉による顧客の店舗１への出入りを検知する検知手段４を設け、前記検知手段４の検出結果により前記吸引ファン３を駆動及び停止させるように構成した、という手段を講じた。
【０００９】
本発明に言う店舗とは、コンビニエンスストア、食品店舗、その他、扉の開閉により顧客が出入りするところの店舗を言う。
また、上記、前記検知手段４の検出結果により前記吸引ファン３を駆動及び停止させるのは、顧客が店舗１に出入りする際に扉６を開閉する際に店舗内部の圧力を高くして、外気が流入しないようにするもので、これは、常時、店舗１の内圧が外気よりも高くなければならないということではなく、少なくとも、扉６が開いた時に内圧が高ければ良いという意味である。
【００１０】
【発明の実施の形態】
本発明において、前記検知手段４が、前記扉６の開閉によりＯＮ／ＯＦＦするスイッチ４Ｂであるのが好ましい。この場合は、扉６の開閉に伴って吸引ファン３が駆動されることになるので、扉６の開閉に伴う内圧低下を吸引ファン３の駆動によって自動的に補填でき、これによって、店舗１の内部からの空気の流出が維持できて、常に、外気流入を阻止でき、以って、外気流入に伴う害虫の侵入を阻止出来るのである。
【００１１】
また、本発明において、前記検知手段４が、前記扉６の近傍位置に設けられた顧客の出入りを検知するセンサー４Ａであるのが好ましい。
このセンサー４Ａとしては、人体の重量を感知する感圧センサー、人体の移動を感知する光センサー等の適宜の手段を利用できる。
このようなセンサー４Ａを設けることで、顧客が扉６を実際に開閉する（自動又は手動）する直前に吸引ファン３を駆動させることが出来て、扉６の開閉が実際に行なわれた後に吸引ファン３が駆動、停止される場合（扉６の開閉による吸引ファンの駆動、停止）のに比べて、店舗１の内圧を、来るべき外部流出を予定して事前に高めておくことができるので、扉６の開閉が実際に行なわれた際の内圧低下と吸引ファン３による内圧補填とのタイムラグを無くすることができ、外気流入（害虫）を確実に防止できる。
【００１２】
更に、前記店舗１は、空調設備５を備え、店舗１内の圧力が外気よりも僅かに高く調節されているのが好ましい。
これは、一般のコンビニ等の冷房が施されている場合で、そうした場合において、扉６が開かれても、吸引ファン３によって内部の圧力が高い状態に維持されるようにし、以って、外気流入による害虫侵入を阻止出来る。
【００１３】
【実施例】
以下、本発明にかかる店舗の防虫設備の好適実施例について、図面を参照して詳述する。
図１は、本発明にかかる店舗の防虫設備を示す全体の概略斜視図であり、顧客が扉６を開閉して出入りするように構成された店舗１、ここではコンビニエンスストアの全体を示す。
【００１４】
この店舗１内に防虫フィルター２を介して外気を導入する吸引ファン３を設けてある。勿論、この吸引ファン３の外側が直接（或いはダクトを介して）外気に接しており、前記防虫フィルター２は、網戸程度のメッシュのフィルターであるが、吸引抵抗が大きくなければ、集塵機能を有するフィルターであっても良い。尚、昨今の空調設備５（例えば図１）において、外気の導入を可能とする型のものが存在するが、こうした場合、前記吸引ファン３は、この空調設備５のファンを代用することが出来る。
【００１５】
そして、前記扉６の開閉による顧客の舗１への出入りを検知する検知手段４を設け、該検知手段４により前記吸引ファン３を駆動及び停止させるように構成してある。この実施例では、前記検知手段４は、前記扉６の近傍位置に設けられた顧客の出入りを検知するセンサー４Ａである。
【００１６】
このセンサー４Ａは、この実施例では、顧客の移動を感知する光センサーで構成されており、この光センサーが扉６の内外に設けられており、外部から入ってくる顧客と外部に出る顧客とを感知し、扉６の開閉の前に扉６を開閉するものと予定して、前記吸引ファン３を駆動するように構成している。これにより、扉６の開閉と吸引ファン３の駆動による内圧上昇とのタイムラグを無くし、外気流入を確実に阻止出来るようにしている。
【００１７】
上記検知手段４として、実際の扉６の開閉によりＯＮ／ＯＦＦするスイッチ４Ｂを設けるようにしても良い。この場合、上記顧客の出入りを検知するセンサー４Ａに比べて、圧力上昇のタイムラグが少し発生するが、目的達成は可能であるし、この実施例のように空調設備５（エアコン）を備え、店舗１内の圧力が外気よりも僅かに高く調節されている場合では、上記タイムラグの影響も少なく、確実に目的を達成出来る。
【００１８】
【発明の効果】
本発明にかかる店舗の防虫設備によれば、網戸や電撃殺虫器を設けることなく、扉の開閉に伴う店舗への害虫（羽虫）侵入を確実に防止出来て、店内の衛生状態を維持し、且つ、顧客への害を未然に防止できる利点がある。合わせて、道路側の粉塵進入を未然に回避出来る。
本発明の更に具体的な効果は、上述した発明の実施の態様の項及び実施例の項において詳述した通りである。
【図面の簡単な説明】
【図１】本発明にかかる店舗の防虫設備を示す全体の概略斜視図である。
【符号の説明】
１  店舗
２  防虫フィルター
３  吸引ファン
４  検知手段
４Ａ  センサー
４Ｂ  スイッチ
５  空調設備
６  扉
【図１】
2004361063.tif 000003